(57)【要約】【課題】使用者の携帯端末装置の所持状況に応じて着信時の応答メッセージを変化させる携帯端末装置及びそのネットワークシステムを提供する。【解決手段】本携帯端末装置１において、加速度センサ１１が加速度を検知したことを示す検知情報及び充電池１５が充電中であることを示す充電情報をＲＡＭ１２に記憶し、制御部１３は、これらの情報に対応したＲＯＭ１６に格納された応答メッセージを返信する。【選択図】図１
2008301055.tif 000002
【特許請求の範囲】
【請求項１】
加速度を検知するセンサと、
前記センサが加速度を検知したことを示す検知情報を記憶する加速度記憶手段と、
前記センサが加速度を検知したときに前記加速度記憶手段に前記検知情報を書き込み、加速度を所定時間検知しなかったときに前記加速度記憶手段の検知情報を消去する書込手段と、
電力を供給する充電可能な充電力手段と、
前記充電力手段が充電中であることを示す充電情報を記憶する充電情報記憶手段と、
前記充電力手段が充電を始めたときに前記充電情報記憶手段に前記充電情報を書き込み、充電を終えたときに前記充電情報記憶手段の前記充電情報を消去する書込手段と、
所定の応答情報を記憶した応答情報記憶手段と、
前記検知情報及び前記充電情報に応じて前記所定の応答情報を送信する送受信手段と、
を備えたことを特徴とする携帯端末装置。
【請求項２】
加速度を検知するセンサと、
電力を供給する充電可能な充電力手段と、
前記センサで検知した検知情報及び前記充電力手段が充電中であることを示す充電情報を送信する送信手段と
を備えた携帯端末装置と、
前記検知情報を記憶するサーバー側加速度記憶手段と、
前記充電情報を記憶するサーバー側充電情報記憶手段と、
前記検知情報を受信したときに前記サーバー側加速度記憶手段に前記検知情報を書き込み、所定時間前記検知情報を受信しなかったときに前記サーバー側加速度記憶手段の前記検知情報を消去する書込手段と、
前記充電情報を受信したときに前記サーバー側充電情報記憶手段に前記充電情報を書き込み、前記充電情報を受信しなかったときに前記サーバー側充電情報記憶手段の前記充電情報を消去する書込手段と、
所定の応答情報を記憶したサーバー側応答情報記憶手段と、
前記検知情報及び前記充電情報に応じて前記所定の応答情報を送信する送受信手段と
を備えたサーバーと
を有することを特徴とするネットワークシステム。
【発明の詳細な説明】
【技術分野】
【０００１】
本発明は、携帯端末の所持・充電の所持状況に応じて着信時の応答情報を送信する携帯端末及びそのネットワークシステムに関する。
【背景技術】
【０００２】
一般的に、携帯電話・情報端末などにおいて、無線ＬＡＮやＧＰＳを利用して位置情報を把握する技術は従来からあるが、携帯電話・情報端末などを使用者が実際に所持しているのか机上等に置かれているのか判別することはできなかった。つまり、携帯電話・情報端末などは、充電が必要であり長時間机上に置かれることも多々あるため、使用者が実際に携帯電話・情報端末などを所持しているのか充電中であるのかの所持状況を知らせる機能を持った携帯端末が必要とされる。
【０００３】
この点、特許文献１には、焦電センサにより使用者が携帯を身に着けているかどうかを検知し、身に着けているときのみ自動応答が有効とする制御手段を備えたことを特徴とする携帯電話が開示されている。また、特許文献２には、携帯が所持されているときの所持の態様を示す環境情報に応じて着信報知手段の報知の形態を切り返す切り替え手段を設けるもの。即ち、切り替えるための環境情報には、携帯に加わる振動が短周期または長周期のいずれかであるのかを検出した振動情報、携帯の周囲の照度を検出した照度情報、あるいは、体温を検出する温度情報であることが開示されている。また、特許文献３には、携帯が携帯中かどうかを検知して、携帯中であることが検知されている状態で電源レベルが所定レベル以下の場合に低電源情報を報知することが開示されている。
【０００４】
【特許文献１】特開平９−１１６９６１号公報
【特許文献２】特開平１０−２００９３３号公報
【特許文献３】特開２０００−３３０９４５号公報
【発明の開示】
【発明が解決しようとする課題】
【０００５】
しかし、これらは携帯端末等を所持しているか等の所持状況だけに注目して自動応答等の処理を行うものであり、その他の携帯端末の使用者の所持状況に注目しておらず、利用者に十分な携帯端末の所持状況の情報提供を行っていないと考えられる。
【０００６】
そこで、本発明の目的は、使用者が携帯端末を所持しているか否か及び充電中であるか否かの所持状況に応じて着信時の応答情報を変化させる携帯端末装置及びそのネットワークシステムを提供することにある。
【課題を解決するための手段及び効果】
【０００７】
本発明の携帯端末装置は、加速度を検知するセンサと、前記センサが加速度を検知したことを示す検知情報を記憶する加速度記憶手段と、前記センサが加速度を検知したときに前記加速度記憶手段に前記検知情報を書き込み、加速度を所定時間検知しなかったときに前記加速度記憶手段の検知情報を消去する書込手段と、電力を供給する充電可能な充電力手段と、前記充電力手段が充電中であることを示す充電情報を記憶する充電情報記憶手段と、前記充電力手段が充電を始めたときに前記充電情報記憶手段に前記充電情報を書き込み、充電を終えたときに前記充電情報記憶手段の前記充電情報を消去する書込手段と、所定の応答情報を記憶した応答情報記憶手段と、前記検知情報及び前記充電情報に応じて前記所定の応答情報を送信する送受信手段とを備えている。
【０００８】
上記の構成によれば、加速度記憶手段の検知情報の存否に応じて、携帯端末使用者が携帯中か否かを判断し、充電情報記憶手段の充電情報の存否に応じて充電中か否かを判断する。これにより、携帯中である場合と携帯中でない場合及び充電中である場合と充電中でない場合とに対応した着信時の応答メッセージを送信することができ、当該携帯端末にアクセスした者は、携帯端末使用者の行動態様を知ることができる場合がある。
【０００９】
また、本発明においては、加速度を検知するセンサと、電力を供給する充電可能な充電力手段と、前記センサで検知した検知情報及び前記充電力手段が充電中であることを示す充電情報を送信する送信手段とを備えた携帯端末装置と、前記検知情報を記憶するサーバー側加速度記憶手段と、前記充電情報を記憶するサーバー側充電情報記憶手段と、前記検知情報を受信したときに前記サーバー側加速度記憶手段に前記検知情報を書き込み、所定時間前記検知情報を受信しなかったときに前記サーバー側加速度記憶手段の前記検知情報を消去する書込手段と、前記充電情報を受信したときに前記サーバー側充電情報記憶手段に前記充電情報を書き込み、前記充電情報を受信しなかったときに前記サーバー側充電情報記憶手段の前記充電情報を消去する書込手段と、所定の応答情報を記憶したサーバー側応答情報記憶手段と、前記検知情報及び前記充電情報に応じて前記所定の応答情報を送信する送受信手段とを備えたサーバーとを有するネットワークシステムとしてもよい。
【００１０】
上記の構成によれば、サーバー側加速度記憶手段の検知情報の存否に応じて、携帯端末使用者が携帯端末を携帯中か否かを判断し、充電情報記憶手段の充電情報の存否に応じて充電中か否かを判断する。これにより、携帯中である場合と携帯中でない場合及び充電中である場合と充電中でない場合とに対応した着信時の応答メッセージを送信することができ、当該携帯端末にアクセスした者は、携帯端末使用者の行動態様を知ることができる場合がある。また、サーバー側で携帯端末使用者が携帯端末を携帯中か否かの情報及び携帯端末が充電中か否かの情報を一括管理することができ、情報の保守・管理を容易にすることができる。
【発明を実施するための最良の形態】
【００１１】
（実施の形態１）
本発明の実施の形態１を図１ないし図６に基づいて以下に説明する。
【００１２】
図１は、実施の形態１に係る携帯端末装置１を使用した場合の概要図である。図１では、使用者が携帯端末装置１を所持せず充電中である場合の応答メッセージ、及び使用者が携帯端末装置１を所持しており充電中でない場合の応答メッセージについて示されている。尚、図１に示した概要図についての詳細は以下に説明する。
【００１３】
（携帯端末装置１の構成）
図２は、実施の形態１に係る携帯端末装置のブロック図を示している。本携帯端末装置１は、基板に設けられた制御部１３で動作が制御されている。書込手段としての制御部１３は回路基板上に配置されたＣＰＵ１４を主たる構成要素としており、ＣＰＵ１４は、予め設定されたプログラムに従って制御動作を行う。また、携帯端末装置１は、加速度記憶手段及び充電情報記憶手段としてのＲＡＭ１２及び応答情報記憶手段としてのＲＯＭ１６を有している。ＲＯＭ１６は、後述する応答メッセージテーブルを格納している。ＲＡＭ１２は、後述する「携帯中」との状況を示す状態フラグ及び「充電中」との状況を示す状態フラグを記憶する。また、速度が一定時間あたりにしてどれだけ変化したかを示す加速度を検知するセンサとしての加速度センサ１１を備えている。また、本携帯端末装置１に必要な電力を供給する充電可能な充電力手段としての充電池１５を備えている。また、使用者の音声を受信する送話器１９と受信した音声を出力する受話器１８とを備えている。更に、携帯端末装置１は、外部の無線基地局と電波の送受信を行う送受信手段としての送受信装置１７を備えている。
【００１４】
加速度センサ１１は、本携帯端末を所持している利用者が動き始めるときには進行方向に加速がかかり、また、止まるときには逆に進行方向に対して減速（つまりマイナスの加速）がかかること検知する。そして、制御部１３は、かかる加速度が検知された場合に、利用者が実際に本携帯端末を所持していると判断することになる。また、制御部１３は、充電池１５が、充電中である場合には、利用者が本携帯端末を充電していると判断することになる。
【００１５】
本携帯端末において加速度センサ１１、充電池１５、制御部１３を備えていることにより、加速度センサ１１の検知情報の存否に応じて、携帯端末装置１の使用者が携帯中か否かを判断し、ＲＡＭ１２の充電情報の存否に応じて充電中か否かを判断することができ、携帯中である場合と携帯中でない場合及び充電中である場合と充電中でない場合とに対応した着信時の応答メッセージを送信することができ、携帯端末装置１にアクセスした者は、携帯端末装置１の使用者の行動態様を知ることができる場合がある。
【００１６】
（携帯端末装置１の動作）
上記の構成において、携帯端末装置１の動作について以下３つの処理手順を踏まえて説明する。
【００１７】
第１に、携帯端末装置１を所持しているか否かを判定する処理手順を図３のフローチャートに基づいて説明する。
【００１８】
まず、携帯端末装置１の電源が投入されている場合に、ＣＰＵ１４は、加速度センサ１１が加速度を検知したか否かの判定を行う（Ａ１）。そして、加速度を検知しなければ（Ａ１、ＮＯ）、Ａ１を繰り返すことで、加速度の検知待ちとなる。
【００１９】
一方、加速度を検知した場合には（Ａ１、ＹＥＳ）、ＲＡＭ１２に加速度を検知したことを示す検知情報を書き込む（Ａ２）。このＲＡＭ１２に記憶された検知情報は、利用者が「携帯中」との状況を示す状態フラグとしての情報となる（Ａ３）。次に、加速度センサ１１が所定時間加速度を検知しなかったか否かの判定を行う（Ａ４）。そして、所定時間の間に加速度を検知した場合は（Ａ４、ＮＯ）、Ａ２に戻り、ＲＡＭ１２に検知情報を書き込む。
【００２０】
一方、所定時間加速度を検知しなかった場合は（Ａ４、ＹＥＳ）、ＲＡＭ１２に記憶された検知情報を消去する（Ａ５）。このＲＡＭ１２の検知情報が消去された状態は、利用者が「携帯していない」との状況を示す状態フラグとしての情報となる（Ａ６）。これで、携帯端末装置１を所持しているか否かを判定する処理手順が一旦終了し、Ａ１に戻る。
【００２１】
第２に、携帯端末装置１が充電中か否かを判定する処理手順を図４のフローチャートに基づいて説明する。
【００２２】
まず、携帯端末装置１の電源が投入されている場合に、ＣＰＵ１４は、充電池１５が充電中か否かの判定を行う（Ｂ１）。そして、充電中であれば（Ｂ１、ＹＥＳ）、ＣＰＵ１４は、ＲＡＭ１２に充電池１５が充電中であることを示す充電情報を書き込む（Ｂ２）。このＲＡＭ１２に記憶された充電情報は、携帯端末装置１が「充電中」であることを示す状態フラグとしての情報となる（Ｂ３）。そして、Ｂ１に戻る。
【００２３】
一方、充電中でなければ（Ｂ１、ＮＯ）、ＲＡＭ１２に充電情報が記憶されていれば充電情報を消去する（Ｂ４）。このＲＡＭ１２の充電情報が消去された状態は、携帯端末装置１が「充電中ではない」との状況を示す状態フラグとしての情報となる（Ｂ５）。これで、携帯端末装置１が充電中か否かを判定する処理手順が一旦終了し、Ｂ１に戻る。
【００２４】
第３に、外部の携帯端末等から、無線基地局を介して携帯端末装置１に着信が入った場合における応答情報の送信処理手順を図５に基づいて説明する。
【００２５】
まず、携帯端末装置１の電源が投入されている場合に、ＣＰＵ１４は本携帯端末装置１に着信があったか否かの判定を行う（Ｃ１）。そして、着信していなければ（Ｃ１、ＮＯ）、Ｃ１を繰り返すことで、着信待ちとなる。一方、着信があった場合は（Ｃ１、ＹＥＳ）、所定回数の呼び出しコールがあったか否かの判定を行う（Ｃ２）。そして、所定回数の呼び出しコールがなかった場合は（Ｃ２、ＮＯ）、Ｃ１に戻る。一方、所定回数の呼び出しコールがあった場合は（Ｃ２、ＹＥＳ）、図４で示した上記本携帯端末装置１が充電中か否かを判定する処理手順で判定した「充電中」であることを示す状態フラグであるか否かの判定を行う（Ｃ３）。
【００２６】
そして、充電中であれば（Ｃ３、ＹＥＳ）、図３で示した上記本携帯端末装置１を所持しているか否かを判定する処理手順で判定した「携帯中」との状況を示す状態フラグであるか否かの判定を行う（Ｃ４）。そして、「携帯中」でなければ（Ｃ４、ＮＯ）、ＲＯＭ１６に格納された図６の応答メッセージテーブルに示す応答情報としての応答メッセージを着信相手に送信する（図６：携帯中「×」、充電中「○」）。具体的には、「只今、携帯電話を携帯しておりません」というメッセージで応答する（Ｃ５）。そして、通信が終われば、Ｃ１に戻り着信待ちの状態となる。一方、「携帯中」であれば（Ｃ４、ＹＥＳ）、ＲＯＭ１６に格納された図６の応答メッセージテーブルに示す応答情報としての応答メッセージを着信相手に送信する（図６：携帯中「○」、充電中「○」）。具体的には、「只今、移動中ですが、バッテリーが少ないので応答しない可能性もありますのでメッセージを残してください」とのメッセージで応答する（Ｃ６）。そして、通信が終われば、Ｃ１に戻り着信待ちの状態となる。
【００２７】
一方、Ｃ３において、充電中でなければ（Ｃ３、ＮＯ）、図３で示した上記本携帯端末装置１を所持しているか否かを判定する処理手順で判定した「携帯中」との状況を示す状態フラグであるか否かの判定を行う（Ｃ７）。そして、「携帯中」でなければ（Ｃ７、ＮＯ）、ＲＯＭ１６に格納された図６の応答メッセージテーブルに示す応答情報としての応答メッセージを着信相手に送信する（図６：携帯中「×」、充電中「×」）。具体的には、「只今、携帯電話を携帯しておりません」というメッセージで応答する（Ｃ９）。そして、通信が終われば、Ｃ１に戻り着信待ちの状態となる。一方、「携帯中」であれば（Ｃ７、ＹＥＳ）、ＲＯＭ１６に格納された図６の応答メッセージテーブルに示す応答情報としての応答メッセージを着信相手に送信する（図６：携帯中「○」、充電中「×」）。具体的には、「只今、移動中ですので、着信履歴を残すかメッセージを残していただければ後ほど連絡します」とのメッセージで応答する（Ｃ８）。そして、通信が終われば、Ｃ１に戻り着信待ちの状態となる。
【００２８】
尚、携帯端末装置１は、応答メッセージ後に相手の音声を録音することができる録音装置を備えているものとする。また、図６に示した応答メッセージテーブルにおける応答メッセージは、一例にすぎず便宜変更が可能である。
【００２９】
これにより、ＲＡＭ１２の検知情報の存否に応じて、携帯端末装置１の使用者が携帯中か否かの判断をし、ＲＡＭ１２の充電情報の存否に応じて充電中か否かの判断をする。そして、携帯中である場合と携帯中でない場合及び充電中である場合と充電中でない場合とに対応した着信時の応答メッセージを送信することができ、携帯端末装置１にアクセスした者は、携帯端末装置１の使用者の行動態様を知ることができる場合がある（図１参照）。
【００３０】
（実施の形態２）
本発明の実施の形態２を図７ないし図１１に基づいて以下に説明する。
【００３１】
図７は、実施の形態２に係るネットワークシステムの概要図である。図１では、使用者の携帯端末装置２を所持しているか否か、携帯端末装置２が充電中であるか否かの所持状況をサーバー３経由でディスプレイ３４に表示した場面が示されている。尚、図７に示した概要図についての詳細は以下に説明する。
【００３２】
（携帯端末装置２の構成）
図８は、実施の形態２に係る携帯端末装置２及びサーバー３のブロック図を示している。本携帯端末装置２は、基板に設けられた制御部２０で動作が制御されている。制御部２０は回路基板上に配置されたＣＰＵ２１を主たる構成要素としており、ＣＰＵ２１は、予め設定されたプログラムに従って制御動作を行う。また、携帯端末装置２は、速度が一定時間あたりにしてどれだけ変化したかを示す加速度を検知するセンサとしての加速度センサ２２を備えている。また、携帯端末装置２に必要な電力を供給する充電可能な充電力手段としての充電池２３を備えている。また、使用者の音声を受信する送話器２５と受信した音声を出力する受話器２６とを備えている。更に、携帯端末装置２は、無線基地局４と電波の送受信を行う送信手段としての送受信装置２４を備えている。
【００３３】
（サーバー３の構成）
サーバー３は、基板に設けられた制御部３０で動作が制御されている。サーバー側書込手段としての制御部３０は回路基板上に配置されたＣＰＵ３１を主たる構成要素としており、ＣＰＵ３１は、予め設定されたプログラムに従って制御動作を行う。また、サーバー３は、サーバー側応答情報記憶手段としてのＲＯＭ３２及びサーバー側加速度記憶手段及びサーバー側充電情報記憶手段としてのＲＡＭ３３を有している。また、サーバー３は、携帯端末装置２の使用者が携帯端末を携帯中か否かの情報及び携帯端末が充電中か否かの情報を表示することができるディスプレイ３４備えている。更にサーバー３は、無線基地局４と電波の送受信を行う送受信手段としての送受信装置３５を備えている。
【００３４】
上記構成によれば、ＲＡＭ３２の検知情報の存否に応じて、携帯端末装置２の使用者が携帯端末装置２を携帯中か否かを判断し、ＲＡＭ３２の充電情報の存否に応じて充電中か否かを判断する。これにより、携帯中である場合と携帯中でない場合及び充電中である場合と充電中でない場合とに対応した着信時の応答メッセージを送信することができ、携帯端末装置２にアクセスした者は、携帯端末装置２の使用者の行動態様を知ることができる場合がある。また、サーバー３側で携帯端末装置２の使用者が携帯端末装置２を携帯中か否かの情報及び携帯端末装置２が充電中か否かの情報を一括管理することができ、情報の保守・管理を容易にすることができる。
【００３５】
（携帯端末装置２及びサーバー３の動作）
上記の構成において、携帯端末装置２及びサーバー３の動作について以下３つの処理手順を踏まえて説明する。
【００３６】
第１に、携帯端末装置２を所持しているか否かを判定する処理手順を図９のフローチャートに基づいて説明する。
【００３７】
まず、携帯端末装置２の電源が投入されている場合に、ＣＰＵ２１は、加速度センサ２２が加速度を検知したか否かの判定を行う（Ｄ１）。そして、加速度を検知しなければ（Ｄ１、ＮＯ）、Ｄ１を繰り返すことで、加速度の検知待ちとなる。
【００３８】
一方、加速度を検知した場合には（Ｄ１、ＹＥＳ）、サーバー３に加速度を検知したことを示す検知情報を送受信装置２４から送信する（Ｄ２）。そして、サーバー３において、ＣＰＵ３１は、ＲＡＭ３３に検知情報を書き込む（Ｄ３）。このＲＡＭ３３に記憶された検知情報は、利用者が「携帯中」との状況を示す状態フラグとしての情報となる（Ｄ４）。次に、加速度センサ２２が所定時間加速度を検知しなかったか否かの判定を行う（Ｄ５）。そして、所定時間の間に加速度を検知した場合は（Ｄ５、ＮＯ）、Ｄ３に戻り、ＲＡＭ３３に検知情報を書き込む。
【００３９】
一方、所定時間加速度を検知しなかった場合は（Ｄ５、ＹＥＳ）、ＲＡＭ３３に記憶された検知情報を消去する（Ｄ６）。このＲＡＭ３３の検知情報が消去された状態は、利用者が「携帯していない」との状況を示す状態フラグとしての情報となる（Ｄ７）。これで、携帯端末装置２を所持しているか否かを判定する処理手順が一旦終了し、Ｄ１に戻る。
【００４０】
第２に、携帯端末装置２が充電中か否かを判定する処理手順を図１０のフローチャートに基づいて説明する。
【００４１】
まず、携帯端末装置２の電源が投入されている場合に、ＣＰＵ２１は、充電池２３が充電中か否かの判定を行う（Ｅ１）。そして、充電中であれば（Ｅ１、ＹＥＳ）、サーバー３に充電池２３が充電中であることを示す充電情報を送受信装置２４から送信する（Ｅ２）。サーバー３側の送受信装置３５で受信した充電情報を、ＣＰＵ３１は、ＲＡＭ３３に書き込む（Ｅ３）。このＲＡＭ３３に記憶された充電情報は、携帯端末装置２が「充電中」であることを示す状態フラグとしての情報となる（Ｅ４）。そして、Ｅ１に戻る。
【００４２】
一方、充電中でなければ（Ｅ１、ＮＯ）、サーバー３側のＣＰＵ３１は、ＲＡＭ３３に充電情報が記憶されていれば充電情報を消去する（Ｅ５）。このＲＡＭ３３の充電情報が消去された状態は、携帯端末装置２が「充電中ではない」との状況を示す状態フラグとしての情報となる（Ｅ６）。これで、携帯端末装置２が充電中か否かを判定する処理手順が一旦終了し、Ｅ１に戻る。
【００４３】
第３に、外部の携帯端末等から、無線基地局４を介して携帯端末装置２に着信が入った場合における応答情報の送信処理手順を図１１に基づいて説明する。
【００４４】
まず、携帯端末装置２の電源が投入されている場合に、ＣＰＵ２１は携帯端末装置２に着信があったか否かの判定を行う（Ｆ１）。そして、着信していなければ（Ｆ１、ＮＯ）、Ｆ１を繰り返すことで、着信待ちとなる。一方、着信があった場合は（Ｆ１、ＹＥＳ）、所定回数の呼び出しコールがあったか否かの判定を行う（Ｆ２）。そして、所定回数の呼び出しコールがなかった場合は（Ｆ２、ＮＯ）、Ｆ１に戻る。一方、所定回数の呼び出しコールがあった場合は（Ｆ２、ＹＥＳ）、サーバー３側での応答に切り替える（Ｆ３）。そして、サーバー３側のＣＰＵ３１は、図１０で示した上記携帯端末装置２が充電中か否かを判定する処理手順で判定した「充電中」であることを示す状態フラグであるか否かの判定を行う（Ｆ４）。
【００４５】
そして、充電中であれば（Ｆ４、ＹＥＳ）、図９で示した上記携帯端末装置２を所持しているか否かを判定する処理手順で判定した「携帯中」との状況を示す状態フラグであるか否かの判定を行う（Ｆ５）。そして、「携帯中」でなければ（Ｆ５、ＮＯ）、ＲＯＭ３２に格納された図６の応答メッセージテーブルに示す応答情報としての応答メッセージを着信相手に送信する（図６：携帯中「×」、充電中「○」）。具体的には、「只今、携帯電話を携帯しておりません」というメッセージで応答する（Ｆ６）。そして、通信が終われば、Ｆ１に戻り着信待ちの状態となる。一方、「携帯中」であれば（Ｆ５、ＹＥＳ）、ＲＯＭ３２に格納された図６の応答メッセージテーブルに示す応答情報としての応答メッセージを着信相手に送信する（図６：携帯中「○」、充電中「○」）。具体的には、「只今、移動中ですが、バッテリーが少ないので応答しない可能性もありますのでメッセージを残してください」とのメッセージで応答する（Ｆ７）。そして、通信が終われば、Ｆ１に戻り着信待ちの状態となる。
【００４６】
一方、Ｆ４において、充電中でなければ（Ｆ４、ＮＯ）、図９で示した上記携帯端末装置２を所持しているか否かを判定する処理手順で判定した「携帯中」との状況を示す状態フラグであるか否かの判定を行う（Ｆ８）。そして、「携帯中」でなければ（Ｆ８、ＮＯ）、ＲＯＭ３２に格納された図６の応答メッセージテーブルに示す応答情報としての応答メッセージを着信相手に送信する（図６：携帯中「×」、充電中「×」）。具体的には、「只今、携帯電話を携帯しておりません」というメッセージで応答する（Ｆ１０）。そして、通信が終われば、Ｆ１に戻り着信待ちの状態となる。一方、「携帯中」であれば（Ｆ８、ＹＥＳ）、ＲＯＭ３２に格納された図６の応答メッセージテーブルに示す応答情報としての応答メッセージを着信相手に送信する（図６：携帯中「○」、充電中「×」）。具体的には、「只今、移動中ですので、着信履歴を残すかメッセージを残していただければ後ほど連絡します」とのメッセージで応答する（Ｆ９）。そして、通信が終われば、Ｆ１に戻り着信待ちの状態となる。
【００４７】
尚、実施形態２においては、サーバー３側のＲＡＭ３３に保存された「充電中」であることを示す状態フラグ及び「携帯中」であることを示す状態フラグに基づき携帯端末装置２の使用者の所持状況をディスプレイ３４に表示することができる（図７参照）。
【００４８】
また、サーバー３は、応答メッセージ後に相手の音声を録音することができる録音装置を備えているものとする。また、図６に示した応答メッセージテーブルにおける応答メッセージは、一例にすぎず便宜変更が可能である。
【００４９】
上記の動作によれば、ＲＡＭ３３の検知情報の存否に応じて、携帯端末装置２の使用者が携帯端末装置２を携帯中か否かを判断し、ＲＡＭ３３の充電情報の存否に応じて充電中か否かを判断する。これにより、携帯中である場合と携帯中でない場合及び充電中である場合と充電中でない場合とに対応した着信時の応答メッセージを送信することができ、携帯端末装置２にアクセスした者は、携帯端末装置２の使用者の行動態様を知ることができる場合がある。また、サーバー３側で携帯端末装置２の使用者が携帯端末装置２を携帯中か否かの情報及び携帯端末装置２が充電中か否かの情報を一括管理することができ、情報の保守・管理を容易にすることができる（図７参照）。
【００５０】
（本実施の形態の概要）
以上のように、実施の形態１の携帯端末装置１においては、加速度を検知するセンサ（加速度センサ１１）と、センサが加速度を検知したことを示す検知情報を記憶する加速度記憶手段（ＲＡＭ１２等）と、センサが加速度を検知したときに加速度記憶手段に検知情報を書き込み、加速度を所定時間検知しなかったときに加速度記憶手段の検知情報を消去する書込手段（制御部１３、ＣＰＵ１４等）と、電力を供給する充電可能な充電力手段（充電池１５）と、充電力手段が充電中であることを示す充電情報を記憶する充電情報記憶手段（ＲＡＭ１２等）と、充電力手段が充電を始めたときに充電情報記憶手段に充電情報を書き込み、充電を終えたときに充電情報記憶手段の充電情報を消去する書込手段（制御部１３、ＣＰＵ１４等）と、所定の応答情報（応答メッセージ等）を記憶した応答情報記憶手段（ＲＯＭ１６等）と、検知情報及び充電情報に応じて所定の応答情報を送信する送受信手段（送受信装置１７）とを備えた構成とされている。
【００５１】
上記の構成によれば、加速度記憶手段の検知情報の存否に応じて、携帯端末装置の使用者が携帯中か否かを判断し、充電情報記憶手段の充電情報の存否に応じて充電中か否かを判断する。これにより、携帯中である場合と携帯中でない場合及び充電中である場合と充電中でない場合とに対応した着信時の応答メッセージを送信することができ、携帯端末装置にアクセスした者は、携帯端末装置の使用者の行動態様を知ることができる場合がある。
【００５２】
また、実施の形態２のネットワークシステムにおいては、加速度を検知するセンサ（加速度センサ２２）と、電力を供給する充電可能な充電力手段（充電池２３）と、センサで検知した検知情報及び充電力手段が充電中であることを示す充電情報を送信する送信手段（送受信装置２４等）とを備えた携帯端末装置（携帯端末装置２）と、検知情報を記憶するサーバー側加速度記憶手段（ＲＡＭ３３等）と、充電情報を記憶するサーバー側充電情報記憶手段（ＲＡＭ３３等）と、検知情報を受信したときにサーバー側加速度記憶手段に検知情報を書き込み、所定時間検知情報を受信しなかったときにサーバー側加速度記憶手段の検知情報を消去する書込手段（制御部３０、ＣＰＵ３１等）と、充電情報を受信したときにサーバー側充電情報記憶手段に充電情報を書き込み、充電情報を受信しなかったときにサーバー側充電情報記憶手段の充電情報を消去する書込手段（制御部３０、ＣＰＵ３１等）と、所定の応答情報（応答メッセージ等）を記憶したサーバー側応答情報記憶手段（ＲＯＭ３２等）と、検知情報及び充電情報に応じて所定の応答情報を送信する送受信手段（送受信装置３５）とを備えたサーバー（サーバー３）とを備えた構成とされている。
【００５３】
上記の構成によれば、サーバー側加速度記憶手段の検知情報の存否に応じて、携帯端末装置の使用者が携帯端末を携帯中か否かを判断し、充電情報記憶手段の充電情報の存否に応じて充電中か否かを判断する。これにより、携帯中である場合と携帯中でない場合及び充電中である場合と充電中でない場合とに対応した着信時の応答メッセージを送信することができ、携帯端末装置にアクセスした者は、携帯端末装置の使用者の行動態様を知ることができる場合がある。また、サーバー側で携帯端末装置の使用者が携帯端末装置を携帯中か否かの情報及び携帯端末が充電中か否かの情報を一括管理することができ、情報の保守・管理を容易にすることができる。
【００５４】
（本実施形態の変形例）
以上、本発明を好適な実施の形態に基づいて説明したが、本発明はこれに限定されるものではなく、携帯端末装置及びサーバーは、以下の構成を上述の実施の形態における構成に加えて、或いは重複、置き換えて備えていてもよい。
【００５５】
例えば、本携帯端末装置は、ＰＤＡ（personal digital assistants）などの種々の情報通信端末にも本発明は適用可能である。また、情報通信端末に限らず、種々の通信装置にも本発明は適用可能である。
【００５６】
また、ＲＯＭに格納される応答メッセージは、利用者の使用状況により自由にメッセージ内容を変更してもよい。
【００５７】
また、携帯端末装置がメール機能を備えている場合には、携帯端末装置の使用者の所持状況を返信メールで返答するようにしてもよい。
【００５８】
以上、本発明の実施例を説明したが、具体例を例示したに過ぎず、特に本発明を限定するものではなく、具体的構成などは、適宜設計変更可能である。尚、発明の実施の形態に記載された、作用及び効果は、本発明から生じる最も好適な作用及び効果を列挙したに過ぎず、本発明の実施の形態に記載されたものに限定されるものではない。また、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００５９】
【図１】実施形態１に係る携帯端末装置を使用した場合の概要図である。
【図２】実施形態１に係る携帯端末装置のブロック図である。
【図３】実施形態１に係る携帯端末装置を所持しているか否かを判定する処理手順を示したフローチャートである。
【図４】実施形態１に係る携帯端末装置が充電中か否かを判定する処理手順を示したフローチャートである。
【図５】実施形態１に係る携帯端末装置に着信が入った場合における応答情報の送信処理手順を示したフローチャートである。
【図６】本実施形態に係る応答メッセージテーブルである。
【図７】実施形態２に係るネットワークシステムの概要図である。
【図８】実施形態２に係る携帯端末装置及びサーバーのブロック図である。
【図９】実施形態２に係る携帯端末装置を所持しているか否かを判定する処理手順を示したフローチャートである。
【図１０】実施形態２に係る携帯端末装置が充電中か否かを判定する処理手順を示したフローチャートである。
【図１１】実施形態２に係る携帯端末装置に着信が入った場合における応答情報の送信処理手順を示したフローチャートである。
【符号の説明】
【００６０】
１  携帯端末装置
１１  加速度センサ
１２  ＲＡＭ
１３  制御部
１４  ＣＰＵ
１５  充電池
１６  ＲＯＭ
１７  送受信装置
【図１】
2008301055.tif 000003
【図２】
2008301055.tif 000004
【図３】
2008301055.tif 000005
【図４】
2008301055.tif 000006
【図５】
2008301055.tif 000007
【図６】
2008301055.tif 000008
【図７】
2008301055.tif 000009
【図８】
2008301055.tif 000010
【図９】
2008301055.tif 000011
【図１０】
2008301055.tif 000012
【図１１】
2008301055.tif 000013